(57)【要約】【課題】いろいろな吐水形態を楽しむことができ、シャワー装置内に停滞水が溜まり難いシャワー装置を提供することを目的とする。【解決手段】給水管および給湯管との接続部を通過した湯水を混合する湯水混合部と、この湯水混合部から湯水を供給され吐水するハンドシャワーノズルとヘッドシャワーノズルと、ハンドシャワーノズルからの吐水とヘッドシャワーノズルからの吐水とを切り替える吐水切替機構を備え、かつ、この吐水切替機構は、吐水切替機構からヘッドシャワーノズルまでの通水路系に停滞している湯水を、ハンドシャワーノズルへの吐水切替状態時に水抜きを行う水抜き機構を具備していることを特徴とするシャワー装置。【選択図】  図１１
2004236756.tif 000002
【特許請求の範囲】
【請求項１】
給水管および給湯管との接続部を通過した湯水を混合する湯水混合部と、この湯水混合部から供給される湯水を吐水するハンドシャワーノズルとヘッドシャワーノズルと、ハンドシャワーノズルからの吐水とヘッドシャワーノズルからの吐水とを切り替える吐水切替機構を備え、前記吐水切替機構は、該切替機構からヘッドシャワーノズルまでの通水路系に停滞している湯水を、ハンドシャワーノズルへの吐水切替状態時に水抜きを行う水抜き機構を具備していることを特徴とするシャワー装置。
【請求項２】
前記水抜き機構は、ハンドシャワーノズルへの吐水切替に連動して、吐水切替機構からヘッドシャワーノズルまでの通水路系に停滞している湯水を水抜きする機構であることを特徴とする請求項１に記載のシャワー装置。
【請求項３】
前記吐水切替機構は、ダイバーター機構により構成されており、このダイバーターを構成する弁体によって、吐水切替用の通水路と水抜き穴を開閉することを特徴とする請求項２に記載のシャワー装置。
【請求項４】
前記湯水混合部の長手方向が縦向きとなるように配置し、かつ、この湯水混合部の上方に延設されたパイプの上方にヘッドシャワーノズルを配置し、同パイプの中間に前記吐水切替機構とヘッドシャワーノズルへ連通する分岐金具を配置してなることを特徴とする請求項１乃至３のいずれか１つに記載のシャワー装置。
【請求項５】
給水管および給湯管との接続部を通過した湯水を混合する湯水混合部を、湯水混合部の長手方向が縦向きとなるように配置し、
この湯水混合部の上方に支柱体を形成するように複数のパイプを継ぎ足して接続し、
該パイプ内に、湯水混合部と連通する吐水部と、湯水混合部から吐水部までの通水路と、この通水路中に形成した流量調整弁と、を備え、
さらに、パイプの接続部に水抜き穴を設けたことを特徴とするシャワー装置。
【請求項６】
給水管および給湯管との接続部を通過した湯水を混合する湯水混合部を、湯水混合部の長手方向が縦向きとなるように配置し、
この湯水混合部の上方に支柱体を形成するように複数のパイプを継ぎ足して接続し、
該パイプ内に、湯水混合部と連通する吐水部と、湯水混合部から吐水部までの通水路と、この通水路中に形成した流量調整弁と、湯水混合部の下方に温度調整ハンドルと、を備え、この温度調整ハンドルの下端に水抜き穴を設けたことを特徴とするシャワー装置。
【発明の詳細な説明】
【０００１】
【発明の属する技術分野】
本発明は、シャワー装置に関する。
【０００２】
【従来の技術】
従来、浴室やシャワールーム等で設置されるシャワー装置には、湯水混合栓本体から分岐した可撓性のシャワーホース先端にシャワーノズルを設けたものがある。
そして、湯水混合栓に設けたカランもしくはシャワーノズルのいずれかを選択して吐水する構成となっている。
この従来のシャワー装置では、シャワーホースが床に垂れ下がり、洗体したときの湯水やあか等が床を流れるときにシャワーホースに付着するため、シャワーホースが汚れてしまうおそれがあった。また、シャワーホースが使用時に床に垂れ下がった状態となるので邪魔となるおそれもあった。
【０００３】
そのため、このシャワーホースが床に垂れ下がらず、またシャワー装置の使用勝手を向上させた技術がある。（たとえば、特許文献１を参照のこと）
このシャワー装置は、給水管と給湯管が同高さに壁から取り出され、それに湯水混合栓が接続されている。そして、この湯水混合栓の裏面側から給湯管を立ち上げてヘッドシャワーノズルとハンドシャワーヘッドに分岐する分岐部を横方向に延設して、この分岐部にそれぞれのシャワーヘッドへの吐水流量調整つまみを設けている。
このように、湯水混合栓から立ち上げた給湯管の途中からハンドシャワーヘッドに連通するシャワーホースを分岐しているため、シャワーホースが床に垂れ下がるおそれが低減されるのである。また、この従来技術のシャワー装置においては、ハンドシャワーだけでなく、ヘッドシャワーノズルもできるだけ、いろいろなシャワー形態を楽しむことができる。
【０００４】
また、いろいろなシャワー形態を楽しめるシャワー装置も提案されている。（たとえば、特許文献２を参照のこと）
このシャワー装置は、給水管と給湯管が同高さに壁から取り出され、それに湯水混合栓が接続されている。そして、この湯水混合栓の裏面側にハンドシャワーノズルに連通したシャワーホースを接続し、さらに湯水混合栓から立ち上げた給湯管に対して横方向にボディシャワー装置を設けている。そして、このボディーシャワー装置からもシャワーを吐水することができるようになっている。
【０００５】
【特許文献１】
実開平２−１１２７５８号
【特許文献２】
実開昭６３−１９７４８８号
【０００６】
【発明が解決しようとする課題】
しかしながら、湯水混合栓の上部に湯水混合栓で適温になった湯水を供給する給湯管を立ち上げ、その給湯管を分岐してヘッドシャワーノズルやハンドシャワーノズルを設置した構造では、止水した際、この給湯管内に停滞水が多く残るため、次に吐水するまでにその停滞水が冷やされてしまうおそれがある。この場合、しばらくしてから吐水した際、冷たくなった停滞水を流さねばならず、適温が流れてくるまで時間がかかるという問題点がある。
特に、ハンドシャワーノズルを使用する場合には、使用者が手に持って使用することができるので、ハンドシャワーノズルまでの給湯管内に溜まり冷やされた停滞水が流れるまで、ハンドシャワーノズルを床の近くに持っていき下向きに吐水させれば身体に浴びないようにすることができるが、ヘッドシャワーノズルを使用する場合は、使用者の頭上に固定されているので、ヘッドシャワーノズルまでの給湯管内に溜まり冷やされた停滞水が流れるまで、身体に浴びないように使用者自身が避けなければならず、せっかくのいろいろな吐水形態を楽しむことができるシャワー装置の快適性を損ねてしまう。
【０００７】
また、掃除やシャワーを浴びた際、給湯管上に湯水がかかり、給水管の隙間やハンドルと本体の隙間より湯水が浸入し、給水管内やハンドル内部に湯水がたまってしまうという衛生上の問題もあった。
【０００８】
そこで、本発明では上記の問題点を解決するため、いろいろな吐水形態を楽しむことができ、シャワー装置内に停滞水が溜まり難いシャワー装置を提供することを目的とする。
【０００９】
【課題を解決するための手段】
本発明の請求項１では、給水管および給湯管との接続部を通過した湯水を混合する湯水混合部と、この湯水混合部から湯水を供給され吐水するハンドシャワーノズルとヘッドシャワーノズルと、ハンドシャワーノズルからの吐水とヘッドシャワーノズルからの吐水とを切り替える吐水切替機構を備え、かつ、この吐水切替機構は、吐水切替機構からヘッドシャワーノズルまでの通水路系に停滞している湯水を、ハンドシャワーノズルへの吐水切替状態時に水抜きを行う水抜き機構を具備していることを特徴とするシャワー装置とした。
【００１０】
これにより、ヘッドシャワーノズルを閉止し、ハンドシャワーノズルに切替を行った場合、この操作に連動して、ヘッドシャワーノズル側の通水路内に停滞する湯水の水抜きが行われるので、次にヘッドシャワーノズルから吐水した際、大量の停滞水がヘッドシャワーノズルから吐水されることがないので、使用者が不快感を持つことが無く、快適にシャワーを浴びることができる。
特に、通水路内に停滞している時間が長くなればなるほど、適温の湯水が冷やされる。そのため、ヘッドシャワーノズルから初期に吐水される湯水は適温以下の冷たい湯水が吐水されることになるが、本発明のようにヘッドシャワーノズルを使用しないときに水抜きを行うことができるので、ヘッドシャワーノズルからの初期吐水において停滞している冷たい湯水が長い間吐水されることはない。
【００１１】
本発明の請求項２では、前記水抜き機構は、ハンドシャワーノズルへの吐水切替に連動して、吐水切替機構からヘッドシャワーノズルまでの通水路系に停滞している湯水を水抜きする機構であることを特徴とする請求項１に記載のシャワー装置とした。
【００１２】
これにより、ヘッドシャワーノズル側からハンドシャワー側に吐水切替をすることで、自動的にヘッドシャワーノズル側の通水路系に停滞する湯水が外部に流れて水抜きが行われるので、使用者は、水抜き行為を意識することがなく行うことができる。
【００１３】
本発明の請求項３では、前記吐水切替機構は、ダイバーター機構により構成されており、このダイバーターを構成する弁体によって、吐水切替用の通水路と水抜き穴を開閉することを特徴とする請求項２に記載のシャワー装置とした。
【００１４】
これにより、ダイバーター機構を利用することで、水抜き機構を備えた吐水切替機構の構造を複雑化させることがなく、簡単な構造で水抜きを行うことができる。
【００１５】
本発明の請求項４では、前記湯水混合部の長手方向が縦向きとなるように配置し、かつ、この湯水混合部の上方に延設されたのパイプの上方にヘッドシャワーノズルを配置し、同パイプの中間に前記吐水切替機構とヘッドシャワーノズルへ連通する分岐金具を配置してなることを特徴とする請求項１乃至３のいずれか１つに記載のシャワー装置とした。
【００１６】
これにより、吐水切替機構よりも下流側に位置するヘッドシャワーノズル側の通水路内の湯水を水抜きすることができる。
また、パイプの中間に吐水切替機構を設けているので、使用者が立った状態で吐水切替機構を操作しやすく、快適なシャワー生活を得ることができる。
さらに、ダイバーター機構を用いて、止水し、吐水たときに必ずハンドシャワーノズル側から吐水するようにすると、ヘッドシャワーノズルからの初期の吐水はシャワー装置内に停滞し冷たくなった湯水が長い間吐水されることがなく（ほとんどの場合は適温になった湯水が吐水される）、さらに快適なシャワー生活を得ることができると言える。
【００１７】
本発明の請求項５では、給水管および給湯管との接続部を通過した湯水を混合する湯水混合部を、湯水混合部の長手方向が縦向きとなるように配置し、
この湯水混合部の上方に支柱体を形成するように複数のパイプを継ぎ足して接続し、
該パイプ内に、湯水混合部と連通する吐水部と、湯水混合部から吐水部までの通水路と、この通水路中に形成した流量調整弁と、を備え、
さらに、パイプの接続部に水抜き穴を設けたことを特徴とするシャワー装置とした。
【００１８】
これにより、複数のパイプを継ぎ足して接続しているため、継ぎ目から湯水が浸入しても、その継ぎ目よりも下方に位置するパイプの水抜き穴を通して、水が外に流れるため、パイプ内に湯水が停滞する心配がない。
【００１９】
本発明の請求項６では、給水管および給湯管との接続部を通過した湯水を混合する湯水混合部を、湯水混合部の長手方向が縦向きとなるように配置し、
この湯水混合部の上方に支柱体を形成するように複数のパイプを継ぎ足して接続し、
該パイプ内に、湯水混合部と連通する吐水部と、湯水混合部から吐水部までの通水路と、この通水路中に形成した流量調整弁と、湯水混合部の下方に温度調整ハンドルと、を備え、この温度調整ハンドルの下端に水抜き穴を設けたことを特徴とするシャワー装置とした。
【００２０】
これによりハンドルと本体の隙間より下方に位置する温度調整ハンドル内に湯水が浸入したとしても水抜き穴から流れ出るので、温度調整ハンドル内に停滞する心配がない。そして、湯水混合部も含めて縦型に延設したパイプ状のシャワー装置をより快適に提供することができる。
また、さらには、従来の横型のサーモスタット機構を有する湯水混合部を採用して、縦型に配置することで、安価に本シャワー装置を製造して、あたらしいシャワー生活を提供することができる。
【００２１】
【発明の実施の形態】
以下に図面を参照して本発明をより具体的に説明する。
図１に本発明のシャワー装置１の外観図を示す。
このシャワー装置１は、上下方向に伸び延設する１本の薄肉円筒形状のパイプ６に、湯水混合部７と複数の吐水部を備えている。
そして、このパイプ６は、全長に亘り、ほぼ同一径の外観形状としており、かつ、内径は湯水混合部７の外径と略同一径としている。このような構成とすることで湯水混合部と各吐水部とを一体感のある外観で構成した斬新なシャワー装置を提供できる。
図１のシャワー装置１においては、吐水部は、カラン２とハンドシャワーノズル３とヘッドシャワーノズル４から構成されている。
そして、湯水混合部７を挟んで、下方にカラン２を設置し、上方にハンドシャワーノズル３とヘッドシャワーノズル４とを設置している。
湯水混合部７の下方に温度調整ハンドル８を設け、さらにその下にカラン２が設置している。
そして、湯水混合部７の上方には、シャワー用流量調整ハンドル１０が設けられている。
なお、湯水混合部７の横には、フック２３を膨出して設けている。
図２は、図１のシャワー装置１を浴室のカウンター２２上に設置した場合の使用状態図を示している。
なお、図示しないが、浴室の洗い場やシャワールームの床から立ち上げるようにしてもよい。
【００２２】
図３のシャワー装置１においては、吐水部は、ボディシャワーノズル５とハンドシャワーノズル３とヘッドシャワーノズル４から構成されている。
そして、湯水混合部７の上方に吐水部は位置するように構成されている。
図３のシャワー装置１においては、シャワールームなどの立って使用する場合に好適と言える。
【００２３】
次に、図４は、給水管と給湯管の接続部１７、１８から流れてきた湯水が湯水混合部７で適温に混合されて、この湯水混合部７から各吐水部までの通水経路を示している。
図４では、壁から給水管と給湯管を室内に取込んだ場合を示しているが、床から給水管と給湯管を立ち上げた場合も同様である。
まず、給水管と給湯管の接続部１７、１８から供給された湯水は、湯水混合部７で混合される。
また、この湯水混合部７の下方に隣接して配置した温度調整ハンドル８を周方向に回転させて湯温を調整する。
この湯水混合部７で適温になった湯水は、各吐水部２、３、４、５の流量調整弁まで各通水路Ａ、Ｂ、Ｃを経由して送られる。
つまり、湯水混合部７の上方のパイプ６内において、カラン２用の通水路Ａと、ボディシャワーノズル５用の通水路Ｃと、ハンドシャワーノズル３及びヘッドシャワーノズル４用の通水路Ｂとに通水路を３分岐されている。また、ボディシャワーノズル５を設けたパイプ６部において、ボディシャワーノズル５用の通水路Ｃと、ハンドシャワーノズル３及びヘッドシャワーノズル４用の通水路Ｂとの２経路が設けられている。
そして、各流量調整弁を開くことで、それに連通した吐水部から吐水が開始される。
なお、ハンドシャワーノズル３とヘッドシャワーノズル４との吐水においては、切替えハンドル１１により、どちらか一方を選択するようにしている。
図５乃至図６に示したように、湯水混合部７ならびに各吐水部、さらに各吐水部２、３、４、５、への通水路Ａ、Ｂ、Ｃは、ユニットとして形成している。
このように各ユニットにて構成されているため、必要な吐水部だけを選択して湯水混合部７に接続することができる。
そのため、図１のように、吐水部としてカラン２とハンドシャワーノズル３とヘッドシャワーノズル４を選択したり、図３のように、吐水部としてボディシャワーノズル５とハンドシャワーノズル３とヘッドシャワーノズル４を選択したり、使用者の好みによって吐水部を選択して簡単に組み立てることができるのである。
【００２４】
次に、図５乃至図９を用いて、湯水混合部７と各吐水部の具体的な構成を説明する。
図５は、図３のＡ部分に相当するシャワー装置の側断面図を示している。
湯水混合部７は、サーモスタット混合栓の湯水混合部７と同様に構成されている。
給水管と給湯管の接続部１７、１８が上下方向（縦方向）にパイプ６に配置されている。
さらに、この湯水混合部７を長手方向が縦向きになるようにパイプ６内に配置している。
また、この湯水混合部７の外径とパイプ６との内径を略同一としている。そして、このパイプ６の全長の径をほぼ変えることなく、１本のパイプ６を形成している。
なお、１本のパイプ６とは、途中で継ぎ足して複数のパイプを接続したものも含む。このシャワー装置１においては、各ユニット毎に構成し、それを各パイプ６に組み付け、それらのパイプ６をさらに縦方向に積み上げて１つのシャワー装置１を構成している。
【００２５】
さて、給水管および給湯管の接続部１７、１８から湯水は、黒矢印で示すように、湯水混合部７に送られて適温になり、さらに湯水混合部７の上方に位置する吐水部へと送られる。
なお、湯温調整は、湯水混合部の下方に設けた温度調整ハンドル８にを周方向に回転させて行なう。
図８は、湯と水が湯水混合部７に流れて混合され、各吐水部へ通水する通水経路を示している。
湯水混合部７の上方に位置する吐水部（ハンドシャワーノズル３、ヘッドシャワーノズル４、ボディシャワーノズル５）へはパイプ６の内部の通水路Ｂ、Ｃを経由して送られ、湯水混合部７の下側の吐水部（カラン２）へは、パイプ６裏に配置した通水路（通水管）Ａを経由して送られる。
なお、図３においては、カラン２を設けていないので、このカラン２への通水路Ａを塞いでおく。
図９は、サーモスタットによる自動温度調整機構の概略を示している。
図示するように、Ｎｉ−Ｔｉ合金などの形状記憶合金バネ２１とバイアスバネ２２との釣り合いにより、バルブ１９を制御して、湯水の混合比を調整している。
【００２６】
次に、吐水部について説明する。
吐水部は、カラン２、ハンドシャワーノズル３、ヘッドシャワーノズル４、ボディシャワーノズル５などから構成することができる。
まずカラン２について説明する。
図１に示すように、カラン２は、湯水混合部７の下方でかつシャワー装置１本体のパイプ６から前方に膨出するように設けている。
このカラン２の先端には、流量調整ハンドル９を有している。この流量調整ハンドル９に連動してシリンダ弁などの流量調整弁（図示せず）が開閉し、吐水・止水をおこなうことができる。
このようにカラン２の先端に流量調整ハンドル９を設けているため、風呂椅子に座って流量調整ハンドル９に楽な姿勢でアプローチしカラン２からの吐水を行なうことができる。
なお、このカラン２からの吐水の温度調整は、上方に設置した湯水混合部７にて行なわれる。
そして、湯水混合部７からの通水は、図４に示すように、パイプ６の裏側に配置した固定部１６内に設けた通水路（通水管）Ａにより行なう。
なお、このカラン２は、水平に膨出させても、斜めに膨出させてもよく、また、膨出させる長さも自由に変更してもよい。
【００２７】
次に、図６、７を用いて、湯水混合部７よりも上方に位置する吐水部（ボディシャワーノズル５とハンドシャワーノズル３とヘッドシャワーノズル４）について説明する。
まず、ボディシャワーノズル５について説明する。
ボディシャワーノズル５は、立った状態で、上半身の縦方向の広範囲に吐水を行なうためのものである。
そのため、図３に示すようにこのボディシャワーノズル５は、パイプ６の中間部である切替えハンドル１１とシャワーノズル用流量調整ハンドル１０との間の前方に上下に複数の吐水口５ａを形成することで構成されている。
図６には、湯水混合部７からの湯水がボディシャワーノズル５まで通水する通水路を示す。なお、白矢印がその流れ方向を示している。
図６（Ｂ）の横断面図に示すように、シャワーノズル用流量ハンドル１０（流量調整弁１０ａ）を回避してその外周に形成された通水路１０ｂを通って、ボディシャワー用流量調整ハンドル１４（流量調整弁１４ａ）に通水される。
なお、各流量調整弁１０ａ、１４ａは、シリンダ弁から構成されている。
そして、ボディシャワー用流量調整ハンドル１４（流量調整弁１４ａ）を経由して、ボディシャワーノズル５へと通水される。
【００２８】
次に、ハンドシャワーノズル３とヘッドシャワーノズル４からの吐水について説明する。
図１乃至３に示すように、ハンドシャワーノズル３とヘッドシャワーノズル４は、切替えハンドル１１にて切り替える可能としている。この切替ハンドル１１は、シャワー装置１のパイプ６中間に配置して、使用者が立った状態でアプローチしやすい位置に配置している。
そして、シャワーノズル用流量調整ハンドル１０にて吐水流量を調整する。
このシャワーノズル用流量調整ハンドル１０は、湯水混合部７の上方に隣接して配置しているので、風呂椅子に座った状態でハンドシャワーノズル３からの吐水を行ないたい場合に、楽な姿勢でシャワーノズル用流量調整ハンドル１０を操作することができ、また、立った状態でも操作しやすい位置にある。
なお、ハンドシャワーノズル３は、パイプ６から膨出して設けたフック２３に引っ掛けておくことが可能である。
【００２９】
シャワー装置１本体のパイプ６の中間部における側方に分岐金具１２を設けて、この分岐金具１２にシャワーホース１３の一端を接続し、そのシャワーホース１３の他端をハンドシャワーノズル３に接続している。
このハンドシャワーノズル３には、複数の吐水形態が選択できるように吐水切替操作部を有している。また、ハンドシャワーノズル３には、止水・吐水を行なう操作ボタン３ａが握手部に設けられている。
【００３０】
一方、ヘッドシャワーノズル４は、シャワー装置１本体のパイプ６の上端に設けられいる。
なお、このヘッドシャワーノズル４は、パイプ６に対して、回転自在に配置してもよい。
また、ヘッドシャワーノズル４は、内部に大きく３つの吐水群１５を配置しており、この吐水群１５は、すべて同じ吐水形態としても、また、すべて異なる吐水形態としてもよい。
さらに、この吐水形態を１つずつ選択できるようにしてもよく、さらには、ここの吐水群の吐水方向を変えられるようにしてもよい。
【００３１】
なお、シャワー装置１本体のパイプ６の中間部（分岐金具１２を設けた場所）の前方に切替えハンドル１１を設けている。そして、この切替えハンドル１１により、ハンドシャワーノズル３とヘッドシャワーノズル４からの吐水の切替えを行なう。
そして、この切替えハンドル１１は、引っ張ることで、弁体１１ａが後から前に（図では左から右に）動き、通水経路を切り替えて、ハンドシャワーノズル３からヘッドシャワーノズル４へと吐水を切り替える構成となっている。そして、ダイバーター機構を用いることで、一旦止水したときには、必ずハンドシャワーノズル３から吐水するようにしている。これにより、パイプ６内に溜まった冷たい停滞水をヘッドシャワーノズル４から不用意に吐水するおそれがない。
この切替えハンドル１１のダイバーター機構について、図７に基づき説明する。
この切替えハンドル１１の引っ張ることでヘッドシャワーノズル４への通水状態とするが、このとき水圧がかかっているため、弁体１１ａはハンドシャワーノズル３の通水路を塞いだ状態（図では弁体が右側に位置した状態）で維持される。しかしながら、止水すると、水圧が下がり、ばね１１ｂの弾性力により、弁体１１ａが前から後ろへ（図では右から左へ）と動き通水路を切り替えられるのである。
【００３２】
この際の水抜き機構について図１０乃至１１に基づき説明する。切替えハンドル１１の引っ張ることでヘッドシャワーノズル４への通水状態となり、水圧により弁体１１ａはハンドシャワーノズル３の通水路を塞いだ状態（図では弁体が右側に位置した状態）で維持されているが、この時、水抜き弁２４は、これに連動して後ろから前へ（図では左から右へ）移動し、水抜き穴２５を水抜き弁２４でシールする。しかしながら、止水すると、水圧が下がり、ばね１１ｂの弾性力により、弁体１１ａが前から後ろへ（図では右から左へ）と動き通水路を切り替えるが、この時、水抜き弁２４も連動し前から後ろへ（図では右から左へ）と動き、水抜き穴２５が開放状態となり、上部の湯水２６が水抜き穴より外部に排出される。
【００３３】
図１２乃至１３は、水抜き構造の異なる実施例であり、切替えハンドル１１の引っ張ることでヘッドシャワーノズル４への通水状態となり、水圧により弁体１１ａはハンドシャワーノズル３の通水路を塞いだ状態（図では弁体が右側に位置した状態）で維持されているが、この時は、水圧により、フラッパー弁２７が、水抜き穴２５を閉じ、湯水は、上部のヘッドシャワー側へ通水される。その後、止水すると、水圧が下がり、ばね１１ｂの弾性力により、弁体１１ａが前から後ろへ（図では右から左へ）と動き通水路を切り替わり、フラッパー弁２７は、上部の湯水２６の水頭圧により下がり、本体２９と接触してシールし、上部の湯水２６は、水抜き穴２５から排出される。
【００３４】
次に、図６乃至７に基づき、ハンドシャワーノズル３とヘッドシャワーノズル４への通水路について説明する。
図６中の黒矢印がハンドシャワーノズル３とヘッドシャワーノズル４への通水路の流れを示している。まず、図５の湯水混合部７で適温となった湯水が図６の下方から流れてき、シャワーノズル用流量調整ハンドル１０に流れ込む。このシャワーノズル用流量調整ハンドル１０を操作させて、流量調整弁１０ａを開くことにより、この流量調整弁１０ａよりも上方へ位置している切替えハンドル１１まで通水する。
なお、図１６（Ｂ）の構造と同様に、ボディシャワー用流量調整ハンドル１４（流量調整弁１４ａ）を避けてその外周に通水路を形成し、さらにボディシャワーノズル５の後側に通水路１１ｄを形成して、切替えハンドル１１まで通水路を形成している。
図７は、ハンドシャワーノズル３へ通水されている状態である。黒矢印がハンドシャワーノズル３への通水路の流れである。また、白矢印は、ヘッドシャワーノズル４への通水路の流れである。
なお、図１乃至図３では、切替えハンドル１１の側方に分岐金具１２を設けているが、図７に示すように、切替えハンドル１１よりも上方に分岐金具１２を設けてもよく、また分岐金具１２をパイプ６の裏側に配置してもよい。
【００３５】
次に、このシャワー装置１の固定構造について説明する。
シャワー装置１本体のパイプ６は、上方と湯水混合部７で固定部１６により固定している。
上方の固定部１６は、分岐金具１２よりも上方として、壁に固定している。
湯水混合部７での固定部１６は、壁給水の場合は、接続部１７、１８を給水管および給湯管に接続することで行なう。また、床給水の場合は、上方の固定と同様の固定１６で壁に固定する。
【００３６】
なお、上述した湯水混合部は、サーモスタット機構を採用した例を挙げて説明したが、従来のシングルレバーカートリッジを逆さにして上述と同様にパイプ内に配置して、湯水混合部の下方に流量調整兼温度調整ハンドルを配置し、湯水混合部の上方に吐水部を配置してシャワー装置を構成してもよい。
【００３７】
なお、水抜き機構を備えた吐水切替機構としては、図１０乃至図１３の他に、図１４、図１５に示すようにシリンダ弁３２を利用してもよい。
図１４は、ヘッドシャワーノズル側に通水している状態（水抜き弁閉状態）を示す。
図１５は、ヘッドシャワーノズル側を止水して、ハンドシャワーノズル側に通水している状態（水抜き弁開状態）を示す。
このシリンダ弁３２は、円筒形の外装部３２Ａ内に円筒形の弁体３２Ｂが回転自在に配置されている。そして、弁体３２Ｂに連動する切替えハンドル１１を回転することで、外装部３２Ａの開口３２ａまたは開口３２ｂと弁体３２Ｂの開口３２ｃが重なり合って通水可能となる。
一方、弁体側面には水抜き機構を構成する水抜き用の凹部２４ａが形成されている。そして、ハンドシャワーノズル側に通水可能となるように弁体３２Ｂの開口３２ｃが開口３２ｂ側に位置したとき（図面上下側に位置したとき）に、水抜き用の凹部２４ａを経由してヘッドシャワーノズル側の通水路系内に停滞している湯水を水抜き穴２５からシャワー装置１の外部に水頭差を利用して排出するようにしている。
【００３８】
最後に、パイプ同士の隙間及び湯水混合栓本体と温度調整ハンドルとの隙間から浸入した湯水の水抜きについて説明する。図１６に示すように、パイプ６は、背面（壁側）の下側に水抜き穴２８が設けられ、パイプ同士の隙間から浸入した湯水はこの水抜き穴２８より排出され、パイプ内に溜まりにくいようになっている。また、図５に示すように、湯水混合栓本体３１と温度調整ハンドル８との隙間から浸入した湯水は、温度調整ハンドル８の下側に設けられた水抜き穴３０より排出される。
【００３９】
【発明の効果】
以上により、いろいろな吐水形態を楽しむことができ、さらに配管内の捨水が少なく、隙間からの湯水も溜まりにくい衛生的なシャワー装置を提供することができる。
【図面の簡単な説明】
【図１】本件発明の一実施の形態であるシャワー装置の外観図を示す。
【図２】図１のシャワー装置をカウンター上に設置した使用状態図を示す。
【図３】本件発明の他の実施の形態であるシャワー装置の外観図を示す。
【図４】図１の配管経路図を示す。
【図５】図３のＡ部分に相当するシャワー装置の側断面図を示す。
【図６】図３のＢ部分に相当するシャワー装置の側断面図を示す。
【図７】図３のＣ部分に相当するシャワー装置の側断面図を示す。
【図８】図５の湯水の流れを示す。
【図９】図５の湯水の温度調整機構を示す。
【図１０】本発明の第一の実施例の水抜き機構（水抜き弁閉状態）を示す。
【図１１】本発明の第一の実施例の水抜き機構（水抜き弁開状態）を示す。
【図１２】本発明の第二の実施例の水抜き機構（水抜き弁閉状態）を示す。
【図１３】本発明の第二の実施例の水抜き機構（水抜き弁開状態）を示す。
【図１４】本発明の第三の実施例の水抜き機構（水抜き弁閉状態）を示す。
【図１５】本発明の第三の実施例の水抜き機構（水抜き弁開状態）を示す。
【図１６】パイプの接続部の水抜き穴を示す。
【符号の説明】
１  シャワー装置
２  カラン
３  ハンドシャワーノズル
４  ヘッドシャワーノズル
５  ボディシャワーノズル
６  パイプ
７  湯水混合部
８  温度調整ハンドル
９  カラン用流量調整ハンドル
１０  シャワーノズル用流量調整ハンドル
１０ａ  流量調節弁
１１  シャワー切替えハンドル
１１ａ  弁体
１１ｂ  ばね
１２  分岐金具
１３  シャワーホース
１４  ボディシャワー用流量調整ハンドル
１４ａ  流量調節弁
１５  吐水口
１６  固定部
１７  給水管の接続部
１８  給湯管の接続部
１９  バルブ
２０  バイアスバネ
２１  形状記憶合金バネ
２２  カウンター
２３  フック
２４  水抜き弁
２４ａ  水抜き用凹部
２５  水抜き穴
２６  上部の湯水
２７  フラッパー弁
２８  水抜き穴
２９  本体
３０  水抜き穴
３１  湯水混合栓本体
３２  シリンダ弁
【図１】
2004236756.tif 000003
【図２】
2004236756.tif 000004
【図３】
2004236756.tif 000005
【図４】
2004236756.tif 000006
【図５】
2004236756.tif 000007
【図６】
2004236756.tif 000008
【図７】
2004236756.tif 000009
【図８】
2004236756.tif 000010
【図９】
2004236756.tif 000011
【図１０】
2004236756.tif 000012
【図１１】
2004236756.tif 000013
【図１２】
2004236756.tif 000014
【図１３】
2004236756.tif 000015
【図１４】
2004236756.tif 000016
【図１５】
2004236756.tif 000017
【図１６】
2004236756.tif 000018